(57)【要約】【課題】洗濯水を循環して洗濯、すすぎを行う洗濯機において、低水位の洗濯水で循環洗浄することで貴重な水資源を節約するとともに、高濃度の洗濯水で洗濯することでさらなる洗浄性能を向上する。【解決手段】洗濯物を収容する洗濯兼脱水槽２を水受け槽１内に回転自在に収容し、洗濯兼脱水槽２をモータ８により回転駆動する。水受け槽１の内面にポンプ室３を形成し、洗濯兼脱水槽２の回転により洗濯兼脱水槽２の外側と水受け槽１との間の洗濯水をポンプ室３に集め、ポンプ室３に接続した循環経路４を通して上方に揚水するように構成する。【選択図】図１
2011062551.tif 000002
【特許請求の範囲】
【請求項１】
洗濯物を収容する洗濯兼脱水槽と、この洗濯兼脱水槽を回転自在に収容した水受け槽と、前記洗濯兼脱水槽を右または左回転させることを可能とする駆動手段とを備え、前記洗濯兼脱水槽の右または左回転のどちらか一方向のみの回転で循環経路を通して揚水かつ前記洗濯兼脱水槽内に注水するポンプ室を前記水受け槽の内面に形成し、前記洗濯兼脱水槽の外側と前記水受け槽との間の洗濯水またはすすぎ水を揚水かつ注水する方向に前記洗濯兼脱水槽を回転させるように構成し、脱水のときは、前記揚水かつ注水する方向とは逆方向に前記洗濯兼脱水槽を回転させるようにした洗濯機。
【請求項２】
洗濯物を収容する洗濯兼脱水槽と、この洗濯兼脱水槽を回転自在に収容した水受け槽と、前記洗濯兼脱水槽を右または左回転させることを可能とする駆動手段とを備え、前記洗濯兼脱水槽の右または左回転のどちらか一方向のみの回転で循環経路を通して揚水かつ前記洗濯兼脱水槽内に注水するポンプ室を前記水受け槽の内面に形成し、前記洗濯兼脱水槽の外側と前記水受け槽との間の洗濯水またはすすぎ水を揚水かつ注水する方向に前記洗濯兼脱水槽を回転させるように構成し、脱水のときも、前記揚水かつ注水する方向と同じ方向に前記洗濯兼脱水槽を回転させるようにした洗濯機。
【請求項３】
循環経路の先端にシャワーノズルを配設し、前記シャワーノズルから洗濯兼脱水槽内にその上方より散水するように構成した請求項１または２記載の洗濯機。
【請求項４】
循環経路の先端にリントフィルターを配設し、前記リントフィルターから洗濯兼脱水槽内に放水するように構成した請求項１または２記載の洗濯機。
【請求項５】
循環経路の途中にリントフィルターを接続するとともに、循環経路の先端にシャワーノズルを配設し、前記シャワーノズルから洗濯兼脱水槽内にその上方より散水するように構成した請求項１〜３のいずれか１項に記載の洗濯機。
【請求項６】
循環経路の途中に洗濯水またはすすぎ水の温度を変化させる装置を接続するように構成した請求項１または２に記載の洗濯機。
【請求項７】
水受け槽内の洗濯水またはすすぎ水の水位によって、洗濯兼脱水槽の回転数を変化させるようにした請求項１〜６のいずれか１項に記載の洗濯機。
【発明の詳細な説明】
【技術分野】
【０００１】
本発明は、洗濯水を循環して洗濯、すすぎを行う洗濯機に関する。
【背景技術】
【０００２】
従来、この種の洗濯機は図１０に示すように構成していた。以下、その構成について説明する。
【０００３】
図１０に示すように、水受け槽１７は、回転自在に配設した洗濯兼脱水槽１８を内包し、吊り棒１９により洗濯機外枠２０に吊り下げている。モータ２１は、減速機構２２を介して洗濯兼脱水槽１８を回転駆動する。給水弁２３は洗濯兼脱水槽１８内に水を給水するものであり、水位検知手段２４は水受け槽１７内の水位を検知するもので、排水弁２５は水受け槽１７内の洗濯水を排水するものである。
【０００４】
制御装置２６は、モータ２１、給水弁２３、排水弁２５などを制御して、洗濯、すすぎ、脱水の各行程を逐次制御するものである。
【０００５】
上記構成において動作を説明すると、洗濯兼脱水槽１８に洗濯物と洗剤を投入して運転を開始すると、制御装置２６によって給水弁２３を動作し、洗濯兼脱水槽１８内に水を給水する。水位検知手段２４が所定水位を検知すると制御装置２６に信号が送られ、給水弁２３の動作を停止する。その後、制御装置２６によってモータ２１が動作し、洗濯兼脱水槽１８を回転する。
【０００６】
図１１に示すように、洗濯兼脱水槽１８の回転によって生じる遠心力により、水受け槽１７内の洗濯水の水面はすり鉢状になり、洗濯兼脱水槽１８と水受け槽１７との間の水面が上昇し、中央部が下降することになる。洗濯兼脱水槽１８の回転数を上昇させると遠心力が増大し、これに伴って洗濯兼脱水槽１８の外側と水受け槽１７との間の水面はますます上昇する。そして、ついには洗濯水の水面は洗濯兼脱水槽１８の上端部の高さを越えて、洗濯兼脱水槽１８の内部へ散水、循環される。
【０００７】
このように、水受け槽１７内に所定量の洗濯水を溜めた状態で、洗濯兼脱水槽１８を所定の回転数で回転させることにより、洗濯水を散水、循環させることができる。そして洗濯水を循環させることにより、投入した洗剤の溶解促進が可能となり、洗濯行程の早い時点で溶解飽和に到達させて、洗剤成分を洗濯物の汚れに対して効果的に作用させることができるため、洗濯物の洗浄性能を高めることができる。さらに、この構成では、洗濯水の循環時においても洗濯物に直接機械力が加わらないため、洗濯物を傷めることはない。
【発明の概要】
【発明が解決しようとする課題】
【０００８】
しかしながら、このような従来の構成では、洗濯兼脱水槽１８の回転によって生じる遠心力により水受け槽１７内の洗濯水の水面はすり鉢状になるため、水面が洗濯兼脱水槽１８の上端部の高さを越えて内部へ散水させるためには、最低でも洗濯兼脱水槽１８と水受け槽１７との間の空間を満たす水量と、洗濯兼脱水槽１８の中央部に存在する合計の水量が必要であり、それ以下の水位では回転数を増大しても散水させることはできない。
【０００９】
すなわち、洗濯兼脱水槽１８の上端部の高さを越えて内部へ散水させるためには、洗濯水の水面が一定水位より高くなくてはならず、水資源の節約にはおのずと限界があった。さらに、少量の洗濯水に一定量の洗剤を加えると高濃度の洗濯水になり、洗浄力を増大さ
せることができるが、水量の節約に限界があるため、これにも限界があった。
【００１０】
また、このような循環洗浄は洗濯水を直接循環するだけなので、洗濯水に含まれる糸屑などのリントは回収することはできなかった。
【００１１】
本発明は上記従来の課題を解決するもので、低水位の洗濯水で循環洗浄することで貴重な水資源を節約するとともに、高濃度の洗濯水で洗濯することでさらなる洗浄性能を向上することを目的としている。
【課題を解決するための手段】
【００１２】
本発明は上記目的を達成するために、洗濯物を収容する洗濯兼脱水槽を水受け槽内に回転自在に収容し、洗濯兼脱水槽を駆動手段により右または左に回転駆動するよう構成し、洗濯兼脱水槽の右または左回転のどちらか一方向のみの回転で循環経路を通して揚水かつ洗濯兼脱水槽内に注水するポンプ室を水受け槽の内面に形成し、洗濯兼脱水槽の外側と前記水受け槽との間の洗濯水またはすすぎ水を揚水かつ注水する方向に洗濯兼脱水槽を回転させるように構成し、脱水のときは、前記揚水かつ注水する方向とは逆方向に前記洗濯兼脱水槽を回転させるようにしたものである。
【００１３】
これにより、低水位の洗濯水で循環洗浄することができ、貴重な水資源を節約できるとともに、高濃度の洗濯水で洗濯することで、洗浄性能を向上することができる。
【発明の効果】
【００１４】
本発明の洗濯機は、洗濯兼脱水槽を回転駆動したときに、水受け槽の内面のポンプ室に洗濯水が集中することで水圧が高くなり、低水位のときでも洗濯水を循環し洗濯することができ、貴重な水資源を節約できるとともに、高濃度の洗濯水で洗濯することで、洗浄性能を向上することができ、洗濯の後の高濃度の洗濯水が底部に残水しているようなときでも、脱水のときに循環経路を通して洗濯水が洗濯物に散水されるのを防止することができる。
【図面の簡単な説明】
【００１５】
【図１】本発明の第１の実施の形態の洗濯機の縦断面図
【図２】同洗濯機の動作状態の縦断面図
【図３】本発明の第２の実施の形態の洗濯機の縦断面図
【図４】本発明の第３の実施の形態の洗濯機の縦断面図
【図５】本発明の第４の実施の形態の洗濯機の縦断面図
【図６】本発明の第６の実施の形態の洗濯機の水受け槽の一部切欠した斜視図
【図７】同洗濯機の動作状態の水受け槽の一部切欠した斜視図
【図８】同洗濯機の動作状態の水受け槽の一部切欠した斜視図
【図９】本発明の第７の実施の形態の洗濯機の動作状態の水受け槽の一部切欠した斜視図
【図１０】従来の洗濯機の縦断面図
【図１１】従来の洗濯機の動作状態の縦断面図
【発明を実施するための形態】
【００１６】
本発明の請求項１に記載の発明は、洗濯物を収容する洗濯兼脱水槽と、この洗濯兼脱水槽を回転自在に収容した水受け槽と、前記洗濯兼脱水槽を右または左回転させることを可能とする駆動手段とを備え、前記洗濯兼脱水槽の右または左回転のどちらか一方向のみの回転で循環経路を通して揚水かつ前記洗濯兼脱水槽内に注水するポンプ室を前記水受け槽の内面に形成し、前記洗濯兼脱水槽の外側と前記水受け槽との間の洗濯水またはすすぎ水を揚水かつ注水する方向に前記洗濯兼脱水槽を回転させるように構成し、脱水のときは、
前記揚水かつ注水する方向とは逆方向に前記洗濯兼脱水槽を回転させるようにしたものであり、洗濯兼脱水槽を回転駆動したときに、水受け槽の内面のポンプ室に洗濯水が集中することで水圧が高くなり、低水位のときでも洗濯水を循環し洗濯することができ、貴重な水資源を節約できるとともに、高濃度の洗濯水で洗濯することで、洗浄性能を向上することができる。また、洗濯の後の高濃度の洗濯水が底部に残水しているようなときでも、脱水のときに循環経路を通して洗濯水が洗濯物に散水されるのを防止することができる。
【００１７】
請求項２に記載の発明は、洗濯物を収容する洗濯兼脱水槽と、この洗濯兼脱水槽を回転自在に収容した水受け槽と、前記洗濯兼脱水槽を右または左回転させることを可能とする駆動手段とを備え、前記洗濯兼脱水槽の右または左回転のどちらか一方向のみの回転で循環経路を通して揚水かつ前記洗濯兼脱水槽内に注水するポンプ室を前記水受け槽の内面に形成し、前記洗濯兼脱水槽の外側と前記水受け槽との間の洗濯水またはすすぎ水を揚水かつ注水する方向に前記洗濯兼脱水槽を回転させるように構成し、脱水のときも、前記揚水かつ注水する方向と同じ方向に前記洗濯兼脱水槽を回転させるようにしたものであり、洗濯兼脱水槽を回転駆動したときに、水受け槽の内面のポンプ室に洗濯水が集中することで水圧が高くなり、低水位のときでも洗濯水を循環し洗濯することができ、貴重な水資源を節約できるとともに、高濃度の洗濯水で洗濯することで、洗浄性能を向上することができる。また、すすぎの後の最終脱水のときなどに、ポンプ室に集められた空気が循環経路を通して送風され、脱水効率を高めることができる。
【００１８】
請求項３に記載の発明は、上記請求項１または２に記載の発明において、循環経路の先端にシャワーノズルを配設し、前記シャワーノズルから洗濯兼脱水槽内にその上方より散水するように構成したものであり、高濃度の洗濯水を効率よく洗濯物に散水することができ、洗浄性能を向上することができる。
【００１９】
請求項４に記載の発明は、上記請求項１または２に記載の発明において、循環経路の先端にリントフィルターを配設し、前記リントフィルターから洗濯兼脱水槽内に放水するように構成したものであり、洗濯兼脱水槽を回転させる循環洗浄において、洗濯水に含まれるリントを回収することができる。
【００２０】
請求項５に記載の発明は、上記請求項１〜３のいずれかに記載の発明において、循環経路の途中にリントフィルターを接続するとともに、循環経路の先端にシャワーノズルを配設し、前記シャワーノズルから洗濯兼脱水槽内にその上方より散水するように構成したものであり、洗濯兼脱水槽を回転させる循環洗浄において、洗濯水に含まれるリントを回収することができるとともに、高濃度の洗濯水を効率よく洗濯物に散水することができ、洗浄性能を向上することができる。
【００２１】
請求項６に記載の発明は、上記請求項１または２に記載の発明において、循環経路の途中に洗濯水またはすすぎ水の温度を変化させる装置を接続するように構成したものであり、洗濯水をさらに活性化させることができ、洗浄性能をさらに向上することができる。
【００２２】
請求項７に記載の発明は、上記請求項１〜６のいずれかに記載の発明において、水受け槽内の洗濯水またはすすぎ水の水位によって、洗濯兼脱水槽の回転数を変化させるようにしたものであり、水位が異なっても一定の洗濯水を循環させることができ、水位が低いときでも循環量が減少しすぎることがなく、安定して洗浄力を向上することができるとともに、水位が高いときでも循環量が増加しすぎることがなく、泡立ちを抑えることができるとともに、余分な電力の消費を抑えることができる。
【００２３】
以下、本発明の実施の形態について、図面を参照しながら説明する。なお、従来例と同じ構成のものは同一符号を付して説明を省略する。
【００２４】
（実施の形態１）
図１に示すように、水受け槽１は、内面の底部に、内方に開放したポンプ室３を形成するとともに、ポンプ室３に水受け槽１の上方に通ずる循環経路４を接続し、循環経路４の先端にシャワーノズル５を配設している。
【００２５】
洗濯兼脱水槽２は水受け槽１内に回転自在に配設し、吊り棒６により水受け槽１を洗濯機外枠７に吊り下げている。モータ（駆動手段）８は、減速機構９を介して洗濯兼脱水槽２を回転駆動する。給水弁１０は洗濯兼脱水槽２内に水を給水するものであり、水位検知手段１１は水受け槽１内の水位を検知するもので、排水弁１２は水水受け槽１内の洗濯水を排水するものである。
【００２６】
制御装置１３は、モータ８、給水弁１０、排水弁１２などを制御して、洗濯、すすぎ、脱水の各行程を逐次制御するものである。
【００２７】
上記構成において動作を説明すると、洗濯兼脱水槽２に洗濯物と洗剤を投入して運転を開始すると、制御装置１３によって給水弁１０を動作し、洗濯兼脱水槽２内に水が給水される。水位検知手段１１が所定水位を検知すると制御手段１３に信号を送り、給水弁１０の動作を停止する。その後、制御装置１３によってモータ８を駆動し、洗濯兼脱水槽２を回転する。
【００２８】
図２に示すように、洗濯兼脱水槽２の回転によって生じる回転力により、水受け槽１内の洗濯水はポンプ室３に集中し、ポンプ室３内の水圧が上昇する。洗濯兼脱水槽２の回転数を上昇させると回転力が増大し、これに伴ってポンプ室３の水圧はますます上昇し、洗濯水は循環経路４を通して上昇し、ついには循環経路４の先端のシャワーノズル５から洗濯兼脱水槽２の内部へ散水し、循環される。
【００２９】
このように、水受け槽１内に洗濯水を少量ためた状態で、洗濯兼脱水槽２を所定の回転数で回転させることにより、洗濯水を洗濯物に散水、循環させることができる。洗濯水を散水、循環させることにより、投入した洗剤の溶解促進が可能となり、洗濯行程の早い時点で溶解飽和に到達させて、洗剤成分を洗濯物の汚れに対して効果的に作用させることができるため、洗濯物の洗浄性能を高めることができる。
【００３０】
また、この構成では洗濯水の循環時においても洗濯物に直接機械力が加わらないため、洗濯物を傷めることはない。さらに、低水位で洗濯水を循環させることができるため、貴重な水資源を節約できるとともに、高濃度の洗濯水で洗濯することができ、洗浄性能を向上することができる。
【００３１】
なお、洗濯のときだけでなく、すすぎのときにすすぎ水を循環させてもよい。これにより、貴重な水資源の節約をすることができる。
【００３２】
（実施の形態２）
図３に示すように、循環経路４ａは、一端をポンプ室３に接続して水受け槽１の上方に通じており、この循環経路４ａの先端にリントフィルター１４を配設し、リントフィルター１４から洗濯兼脱水槽２内に放水するように構成している。他の構成は上記実施の形態１と同じである。
【００３３】
上記構成において動作を説明すると、洗濯兼脱水槽２を回転させると洗濯兼脱水槽２の回転によって生じる回転力により、水受け槽１内の洗濯水はポンプ室３に集中し、ポンプ室３内の水圧が上昇する。洗濯兼脱水槽２の回転数を上昇させると回転力が増大し、これ
に伴ってポンプ室３の水圧はますます上昇し、洗濯水は循環経路４ａを通して上昇し、ついには循環経路４ａの先端のリントフィルター１４から洗濯兼脱水槽２の内部へ放水し、循環される。
【００３４】
このように、水受け槽１内に洗濯水を所定量ためた状態で、洗濯兼脱水槽２を所定の回転数で回転させることにより、洗濯水をリントフィルター１４を通して放水、循環させることができ、リントを回収することができる。
【００３５】
（実施の形態３）
図４に示すように、循環経路４ｂは、一端をポンプ室３に接続して水受け槽１の上方に通じており、この循環経路４ｂの途中にリントフィルター１５を接続するとともに、循環経路４ｂの先端にはシャワーノズル５を配設し、シャワーノズル５から洗濯兼脱水槽２内にその上方より散水するように構成している。他の構成は上記実施の形態１と同じである。
【００３６】
上記構成において動作を説明すると、洗濯兼脱水槽２を回転させると洗濯兼脱水槽２の回転によって生じる回転力により、水受け槽１内の洗濯水はポンプ室３に集中し、ポンプ室３内の水圧が上昇する。洗濯兼脱水槽２の回転数を上昇させると回転力が増大し、これに伴ってポンプ室３の水圧はますます上昇し、洗濯水は循環経路４ｂを通して上昇し、ついには循環経路４ｂの途中に接続してあるリントフィルター１５を通過し、循環経路４ｂの先端のシャワーノズル５から洗濯兼脱水槽２の内部へ散水し、循環される。
【００３７】
このように、水受け槽１内に洗濯水を所定量ためた状態で、洗濯兼脱水槽２を所定の回転数で回転させることにより、洗濯水をリントフィルター１４を通過させることができ、リントを回収することができる。
【００３８】
さらに洗濯水を循環しながら、洗濯物に散水させることができるため、投入した洗剤の溶解促進が可能となり、洗濯行程の早い時点で溶解飽和に到達させて、洗剤成分を洗濯物の汚れに対して効果的に作用させることができるため、洗濯物の洗浄性能を高めることができる。
【００３９】
（実施の形態４）
図５に示すように、循環経路４ｃは、一端をポンプ室３に接続して水受け槽１の上方に通じており、この循環経路４ｃの途中にヒータ１６を接続するとともに、循環経路４ｃの先端にシャワーノズル５を配設し、シャワーノズル５から洗濯兼脱水槽２内にその上方より散水するように構成している。他の構成は上記実施の形態１と同じである。
【００４０】
上記構成において動作を説明すると、洗濯兼脱水槽２を回転させると洗濯兼脱水槽２の回転によって生じる回転力により、水受け槽１内の洗濯水はポンプ室３に集中し、ポンプ室３内の水圧が上昇する。洗濯兼脱水槽２の回転数を上昇させると回転力が増大し、これに伴ってポンプ室３の水圧はますます上昇し、洗濯水は循環経路４ｃを通して上昇し、ついには循環経路４ｃの途中に接続してあるヒータ１６を通過し、循環経路４ｃの先端のシャワーノズル５から洗濯兼脱水槽２の内部へ散水し、循環される。
【００４１】
このように、水受け槽１内に洗濯水を所定量ためた状態で、洗濯兼脱水槽２を所定の回転数で回転させることにより、洗濯水をヒータ１６を通過させることができ、洗濯水の温度を上昇させることができる。これにより温度の上昇した洗濯水を洗濯物に散水、循環させることができるため、投入した洗剤のさらなる溶解促進が可能となり、洗濯行程の早い時点で溶解飽和に到達させて、洗剤成分を洗濯物の汚れに対して効果的に作用させることができるため、洗濯物の洗浄性能をさらに高めることができる。
【００４２】
なお、本実施の形態では循環経路４の途中にヒータ１６を接続しているが、電解水生成装置や除菌剤投入装置など、水の性質を変化させる装置であれば何でもよい。
【００４３】
（実施の形態５）
図１に示す制御装置１３は、水受け槽１内の洗濯水の水位によって、洗濯兼脱水槽２の回転数を変化させるようにしている。他の構成は上記実施の形態１と同じである。
【００４４】
上記構成において動作を説明すると、水受け槽１内の洗濯水の水位が高いときは洗濯兼脱水槽２の回転数を低下させ、洗濯水の水位が高いときは洗濯兼脱水槽２の回転数を上昇させる。
【００４５】
これにより水位が異なっても一定の洗濯水を循環させることができる。すなわち、水位が低いときでも循環量が減少しすぎることがなく、安定して洗浄力を向上させることができ、水位が高いときでも循環量が増加しすぎることがなく、泡立ちを抑えることができるとともに、余分な電力の消費を抑えることができる。
【００４６】
（実施の形態６）
図６に示すように、水受け槽１ｄは、内面の底部に手前から見て、右向きに角度を有し、内方に開放したポンプ室３ｄを形成している。ポンプ室３ｄには水受け槽１ｄの上方に通ずる循環経路４ｄを接続し、循環経路４ｄの先端にはシャワーノズル５を配設している。他の構成は上記実施の形態１と同じである。
【００４７】
上記構成において動作を説明すると、図７に示すように、洗濯兼脱水槽２を左方向に回転させると洗濯兼脱水槽２の回転によって生じる回転力により、水受け槽１ｄ内の洗濯水は左方向に回転しながらポンプ室３ｄに集中し、ポンプ室３ｄ内の水圧が上昇する。洗濯兼脱水槽２の回転数を上昇させると回転力が増大し、これに伴ってポンプ室３ｄの水圧はますます上昇し、洗濯水は循環経路４ｄを通して上昇し、ついには循環経路４ｄの先端のシャワーノズル５から洗濯兼脱水槽２の内部へ散水し、循環される。
【００４８】
このとき、洗濯水には洗濯物から排出される糸屑などのリントが含まれているため、洗濯水が左方向に回転しながらポンプ室３ｄに集中するときに、ポンプ室３ｄを構成する入口部１７にリントが付着することがある。そのため、洗濯兼脱水槽２を左方向に回転した後は、図８に示すように、洗濯兼脱水槽２を右方向に回転させる行程をいれ、それにより水受け槽１ｄ内の洗濯水を右方向に回転させることができ、ポンプ室３ｄの入口部１７に付着したリントを自動的に取り外すことができるため、付着したリントが蓄積していくのを防ぐことができる。
【００４９】
なお、本実施の形態では、水受け槽１ｄの内面の底部には手前から見て、右向きに角度を有しているが、左向きに角度を有し、洗濯兼脱水槽２が右向きに回転させたときに循環し、左向きに回転させたときに付着したリントを自動的に取り外すように構成してもよい。
【００５０】
（実施の形態７）
図６に示す構成にて、洗濯兼脱水槽２の左回転で揚水するように構成し、洗濯兼脱水槽２が右方向に回転するとき、洗濯兼脱水槽２の回転により、洗濯兼脱水槽２の外側と受け槽１ｄとの間の洗濯水が上昇し、洗濯兼脱水槽２内にその上方より散水するように構成している。他の構成は上記実施の形態１または６と同じである。
【００５１】
上記構成において動作を説明すると、図７に示すように、洗濯兼脱水槽２を左方向に回
転させると洗濯兼脱水槽２の回転によって生じる回転力により、水受け槽１ｄ内の洗濯水は左方向に回転しながらポンプ室３ｄに集中し、ポンプ室３ｄ内の水圧が上昇する。洗濯兼脱水槽２の回転数を上昇させると回転力が増大し、これに伴ってポンプ室３ｄの水圧はますます上昇し、洗濯水は循環経路４ｄを通して上昇し、ついには循環経路４ｄの先端のシャワーノズル５から洗濯兼脱水槽２の内部へ散水し、循環される。
【００５２】
また、毛布などの大物衣類を洗濯する場合は、洗濯水の水位を高めにして、多めの洗濯水で洗う必要がある。そこで、高水位から中水位のときに、図９に示すように、洗濯兼脱水槽２を右方向に回転させることで、回転によって生じる遠心力により水受け槽１ｄ内の洗濯水の水面はすり鉢状になり、洗濯兼脱水槽２と水受け槽１ｄとの間の水面が上昇し、中央部が下降することになる。
【００５３】
洗濯兼脱水槽２の回転数を上昇させると遠心力が増大し、これに伴って洗濯兼脱水槽２の外側と水受け槽１ｄとの間の水面はますます上昇する。そして、ついには洗濯水の水面は洗濯兼脱水槽２の上端部の高さを越えて、洗濯兼脱水槽２の内部へ散水、循環させることができる。このとき洗濯水の水位が高いため、洗濯水の循環量を増大させることができる。
【００５４】
このように、一般の洗濯物のときは洗濯兼脱水槽２を左方向に回転して、洗濯水を低水位、高濃度で循環洗浄するとともに、毛布などの大物の洗濯のときは洗濯兼脱水槽２を右方向に回転して、洗濯水を高水位で大量に循環洗浄することができ、洗濯兼脱水槽２の回転方向によって最適の循環洗浄が可能となる。
【００５５】
なお、本実施の形態では、水受け槽１ｄの内面の底部には手前から見て、右向きに角度を有しているが、左向きに角度を有し、洗濯兼脱水槽２が右向きに回転させたときにポンプ室３ｄより揚水して循環し、左向きに回転させたときに洗濯兼脱水槽２の外側と受け槽１ｄとの間の洗濯水を上昇させて、洗濯兼脱水槽２内にその上方より散水するように構成してもよい。
【００５６】
（実施の形態８）
図６に示す構成にて、洗濯兼脱水槽２の左回転で揚水するように構成し、脱水のときは洗濯兼脱水槽２が右方向または左方向に回転するように構成している。他の構成は上記実施の形態１または６と同じである。
【００５７】
上記構成において動作を説明すると、図７に示すように、洗濯兼脱水槽２を左方向に回転させると洗濯兼脱水槽２の回転によって生じる回転力により、水受け槽１ｄ内の洗濯水は左方向に回転しながらポンプ室３ｄに集中し、ポンプ室３ｄ内の水圧が上昇する。洗濯兼脱水槽２の回転数を上昇させると回転力が増大し、これに伴ってポンプ室３ｄの水圧はますます上昇し、洗濯水は循環経路４ｄを通して上昇し、ついには循環経路４ｄの先端のシャワーノズル５から洗濯兼脱水槽２の内部へ散水し、循環される。
【００５８】
つぎに、洗濯の後の中間脱水のときなどは、洗濯兼脱水槽２を右方向に回転させることで、水受け槽１ｄの底面などに残水している高濃度の洗濯水が空気と一緒になってポンプ室３ｄに集中し、泡だったり、泡となった洗剤成分が空気と一緒に循環経路４ｄを通して上昇し、シャワーノズル５から再び洗濯物に散水することを防ぐことができる。
【００５９】
さらに、すすぎをした後の最終脱水のときなどは、洗濯兼脱水槽２を左方向に回転させることで、空気がポンプ室３ｄに集中し循環経路４ｄを通して上昇し、シャワーノズル５から送風されることで、洗濯物に空気が供給され、含水している水分の蒸発を助け、脱水性能を向上することができる。
【符号の説明】
【００６０】
１  水受け槽
２  洗濯兼脱水槽
３  ポンプ室
４  循環経路
８  モータ（駆動手段）
【図１】
2011062551.tif 000003
【図２】
2011062551.tif 000004
【図３】
2011062551.tif 000005
【図４】
2011062551.tif 000006
【図５】
2011062551.tif 000007
【図６】
2011062551.tif 000008
【図７】
2011062551.tif 000009
【図８】
2011062551.tif 000010
【図９】
2011062551.tif 000011
【図１０】
2011062551.tif 000012
【図１１】
2011062551.tif 000013